(57)【要約】      （修正有）【課題】スポンサーと連携し、ページ数を増加し、ゴルファーにも興味を持たせるような情報提供を可能としたスコアーカードを提供する。【解決手段】ホール名、パー数、競技者名、競技日、スコアーその他を区画表示したプレー必須事項ページをスコアーカードの表裏面に設けるとともに、広告欄、情報欄、アンケート回答欄その他を区画表示したスポンサー主導の情報提供ページを別に設けてプレー必須事項ページの端縁部に連接する。【選択図】図１
0003161593.tif 000002
【実用新案登録請求の範囲】
【請求項１】
ホール名、パー数、競技者名、競技日、スコアー、ハンデキャップ、トータル数、ホールのレイアウト又はローカルルール、その他を区画表示したプレー必須事項ページをスコアーカードの表裏面に設けるとともに、広告欄、情報欄、アンケート回答欄、郵便局承認欄又はダイレクトメール、その他をページの表裏面に区画表示したスポンサー主導の情報提供ページを別に設けて、前記プレー必須事項ページの端縁部に連接したことを特徴とするスポンサー提供のゴルフスコアーカード。
【請求項２】
区画表示したプレー必須事項ページの左端縁部若しくは右端縁部、又は上端縁部若しくは下端縁部に連接して、区画表示したスポンサー主導の情報提供ページを設けた請求項１記載のスポンサー提供のゴルフスコアーカード。
【請求項３】
プレー必須事項ページとスポンサー主導の情報提供ページとの大きさ及び２つ折り線を同一にした請求項１記載のスポンサー提供のゴルフスコアーカード。
【請求項４】
スポンサー主導の情報提供ページに区画表示される料金受取人払い欄を持った区画のページを、郵便はがきとした請求項１記載のスポンサー提供のゴルフスコアーカード。
【請求項５】
プレー必須事項ページとスポンサー主導の情報提供ページとの連接部に、切り離し可能なミシン目を設けた請求項１記載のスポンサー提供のゴルフスコアーカード。
【考案の詳細な説明】
【技術分野】
【０００１】
本考案は、ゴルフ競技者に提供されるスコアーカードに関し、より詳しくは、従来各ゴルフ場で、それぞれ独自に作成され、競技者に提供されてきたものを、スポンサーと連携し、ページ数を増加し、ゴルファーにも興味を持たせるような情報提供を可能としたスコアーカードを提供するものである。
【０００２】
各ゴルフ場のホール数やレイアウト、スコアー、ローカルルールは予め定められており、これらをプレー必須事項ページとして、２つ折り可能なカードの表裏面に形成するとともに、このカードの上下方向又は左右方向の端縁部に、広告、情報記載部、アンケート欄又はダイレクトメール部として利用できるスポンサー主導の情報提供ページを連接したことを特徴とする。
【背景技術】
【０００３】
従来から、ゴルフスコアーカードに付設して広告欄を設けた例は存在するが、ほとんどの場合、ゴルフ場の主導の下で独自にレイアウトし、自己負担により作成されている。従って、広告その他の情報は、プレー必須事項ページの余白部に記載されているに過ぎない。
【先行技術文献】
【特許文献】
【０００４】
【特許文献１】特開２００３−１９９８６０号公報
【特許文献２】実開平０３−１２１８６８号公報
【考案の概要】
【考案が解決しようとする課題】
【０００５】
従来のゴルフ場主導による自作のスコアーカードの場合、広告欄がカードのプレー必須事項ページの余白部に限られていた。従って、スペースが少なく、文字も小さくて利用者にインパクトを与えるものは少なかった。
【０００６】
また、スコアーなどのプレー必須事項ページに連接した広告欄を設ける場合も、ゴルフ場主導で広告主を詮索し選択して、各ゴルフ場の予算の範囲内で決断し、印刷に回すなどの手間が必要とされた。
【課題を解決するための手段】
【０００７】
本考案は、各ゴルフ場の規定又は独特なレイアウトを予め知悉するとともに、ゴルフ競技の規則に反することなく、また射幸性を誘発することなく、不快感を与えなく、併せて競技者に別の興味と楽しみを生じさせるようなスポンサー主導の情報活用ページをプレー必須事項ページの端縁部に連接することにした。
【０００８】
スポンサーの主導に係る広告欄、情報欄、アンケート回答欄、料金受取人払いの郵便局承認部又はダイレクトメール等を増設したページに順序良く区画し、情報活用に利用できるようにしたものである。
【０００９】
もちろん、スポンサー主導の情報提供ページを付設することにつき、各ゴルフ場の許可と承諾を得て、品位の良い記事、写真、図柄を作成し、制作費、広告又は郵便として転送可能な処理をした郵便局承認欄の印刷、ダイレクトメールの管理、メンテナンス等は、スポンサーの感覚とアイデア及び印刷技術、さらにはスポンサーの自己負担により賄われるものである。
【考案の効果】
【００１０】
プレー必須事項ページには、ゴルフ場の必須事項一切を掲載できるから、スコアーカードとして必要にして十分な区画配分ができる。
スポンサー主導の情報提供ページを増設したので、ゴルフ場単独のスコアーカード利用だけではなく、スポンサーとの連携による新規事業が開拓でき、最新の情報収集も可能となった。
【００１１】
さらに、競技者にとっては、ゴルフ競技の楽しみに付加してスポンサー提供の情報が得られ、スポンサー主導による従来にない文字及び写真又は絵、イラストなどを通じて新しいスコアーカードの実現も期待できる。
【００１２】
特に、料金受取人払いによるアンケートの収集、事業情報の取得が自然と得られることになる。
【００１３】
プレー必須事項ページとスポンサー主導の情報提供ページとを同じ大きさとすることによって、スポンサー主導の情報提供ページをプレー必須事項ページの裏側へ折り曲げることができるようになっている。また、連接部をミシン目とすることで、スポンサー主導の情報提供ページを容易に切り離すことができるようにすることもできる。
【図面の簡単な説明】
【００１４】
【図１】本考案ゴルフスコアーカードの一実施例を示す表面斜視図
【図２】図1の裏面斜視図
【図３】別の実施例を示す斜視図
【考案を実施するための形態】
【００１５】
図1に示すように、プレー必須事項ページを2つ折りに形成し、スポンサー主導の情報提供ページを右側に連接した。連接の方向は図示した例に限定されない。例えば、左側に連接したり、上端縁部又は下端縁部に連接することもある。図３は、下端縁部に連接した例を示す。
以下、実施例にしたがって説明する。
【実施例１】
【００１６】
図１、図２において、1はプレー必須事項ページを示し、２はホール名、パー数、競技者名、競技日、スコアー、ハンデキャップ、トータル数を区画表示した表面斜視図である。
【００１７】
３は裏面図で、ホールのレイアウトやローカルルール、その他を区画表示している。
４は、スポンサー主導の情報提供ページ、５はコースのレイアウトを示した図形もしくはスポンサーが商品の宣伝又は販売拡張のための広告その他を区画表示している。６は裏面図でメールの宛先、その他スポンサーとの連絡方法などを区画表示している。
スポンサー主導の情報提供ページは例えば、広告を印刷したものに限らず、スクラッチ、くじ引き等を利用して、抽選機能を設けることもできる。
【００１８】
また、広告を切り離し可能な郵便はがきとすることによって、スポンサーとの直接的な対応が可能である。郵便はがきは、圧着はがきとすることで、はがきを剥がして使用することもできる。この場合、はがきを剥がした部分にも広告を掲載でき、広告効果を高めることができる。
【００１９】
また、スポンサー主導の情報提供ページに、バーコード、ＱＲコード等を記載して、スポンサーのホームページへのアクセスを容易にすることもできる。
【００２０】
７はプレー必須事項ページとスポンサー主導の情報提供ページとの連接部である。ミシン目などを入れて、容易に切り離せるようにしてもよい。
８、９はプレー必須事項ページとスポンサー主導の情報提供ページとのそれぞれにおいて、２つ折り線を示す。
【００２１】
図３はプレー必須事項ページとスポンサー主導の情報提供ページとの連接を下端縁部にした例を示す。
【産業上の利用可能性】
【００２２】
ゴルフ場の経営にプラスしたゴルフプレーの新しい企画、立案をして各ゴルフ場の特色を明確化することが期待でき、ゴルフ場従業員だけではなく、スポンサー独特の特色を反映した情報提供ページを提供できる。
【００２３】
スポンサーは製造販売に係る商品の宣伝効果を情報提供ページの文字又は絵、イラスト写真などの配置、区画割りにページの表裏を十分に利用することができ、ゴルフスコアーカードという小さい媒体でありながら、ダイレクトメールの効果を超える直接の情報提供ができる。
【００２４】
また競技者にとっても新規な情報に基づくスポンサーとの関連が生じて新しいビジネスチャンスの発生が期待できる。
【符号の説明】
【００２５】
１：プレー必須事項ページ
２：プレー必須事項ページの表面部
３：プレー必須事項ページの裏面部
４：スポンサー主導の情報提供ページ
５：スポンサー主導の情報提供ページの表面部
６：スポンサー主導の情報提供ページの裏面部
７：連接部
８、９：２つ折り線
【図１】
0003161593.tif 000003
【図２】
0003161593.tif 000004
【図３】
0003161593.tif 000005
【手続補正書】
【提出日】平成22年6月2日(2010.6.2)
【手続補正１】
【補正対象書類名】明細書
【補正対象項目名】０００８
【補正方法】変更
【補正の内容】
【０００８】
スポンサーの主導に係る広告欄、情報欄、アンケート回答欄、着払い欄又はダイレクトメール等を増設したページに順序良く区画し、情報活用に利用できるようにしたものである。
【手続補正２】
【補正対象書類名】明細書
【補正対象項目名】０００９
【補正方法】変更
【補正の内容】
【０００９】
もちろん、スポンサー主導の情報提供ページを付設することにつき、各ゴルフ場の許可と承諾を得て、品位の良い記事、写真、図柄を作成し、制作費、広告又は郵便として転送可能な処理をした着払い欄の印刷、ダイレクトメールの管理、メンテナンス等は、スポンサーの感覚とアイデア及び印刷技術、さらにはスポンサーの自己負担により賄われるものである。
【手続補正３】
【補正対象書類名】明細書
【補正対象項目名】００１８
【補正方法】変更
【補正の内容】
【００１８】
また、広告を切り離し可能なはがきとすることによって、スポンサーとの直接的な対応が可能である。はがきは、圧着はがきとすることで、はがきを剥がして使用することもできる。この場合、はがきを剥がした部分にも広告を掲載でき、広告効果を高めることができる。
【手続補正４】
【補正対象書類名】明細書
【補正対象項目名】００１９
【補正方法】変更
【補正の内容】
【００１９】
また、スポンサー主導の情報提供ページに、バーコード、ＱＲコード（登録商標）等を記載して、スポンサーのホームページへのアクセスを容易にすることもできる。
【手続補正５】
【補正対象書類名】実用新案登録請求の範囲
【補正対象項目名】全文
【補正方法】変更
【補正の内容】
【実用新案登録請求の範囲】
【請求項１】
ホール名、パー数、競技者名、競技日、スコアー、ハンデキャップ、トータル数、ホールのレイアウト又はローカルルール、その他を区画表示したプレー必須事項ページをスコアーカードの表裏面に設けるとともに、広告欄、情報欄、アンケート回答欄又はダイレクトメール、その他をページの表裏面に区画表示したスポンサー主導の情報提供ページを別に設けて、前記プレー必須事項ページの端縁部に連接したことを特徴とするスポンサー提供のゴルフスコアーカード。
【請求項２】
区画表示したプレー必須事項ページの左端縁部若しくは右端縁部、又は上端縁部若しくは下端縁部に連接して、区画表示したスポンサー主導の情報提供ページを設けた請求項１記載のスポンサー提供のゴルフスコアーカード。
【請求項３】
プレー必須事項ページとスポンサー主導の情報提供ページとの大きさ及び２つ折り線を同一にした請求項１記載のスポンサー提供のゴルフスコアーカード。
【請求項４】
スポンサー主導の情報提供ページに区画表示される着払い欄を持った区画のページを、はがきとした請求項１記載のスポンサー提供のゴルフスコアーカード。
【請求項５】
プレー必須事項ページとスポンサー主導の情報提供ページとの連接部に、切り離し可能なミシン目を設けた請求項１記載のスポンサー提供のゴルフスコアーカード。